(57)【要約】【課題】選択可能なパイロットパターンを有するマルチキャリア信号を提供する。【解決手段】デジタルマルチキャリア周波数分割多重化（ＦＤＭ）信号を生成する方法において、信号がパイロットシンボルを有するＦＤＭシンボルを含み、ＦＤＭシンボルが周波数で等距離間隔になっていないパイロットシンボルを有する方法に関する。  さらに、マルチキャリア周波数分割多重化（ＦＤＭ）信号を処理する方法において、  ａ）デジタルマルチキャリアＦＤＭ信号を復調し、当該信号はパイロットシンボルを有するＦＤＭシンボルを含み、ＦＤＭシンボルのパイロットシンボルは周波数で等距離間隔になく、  ｂ）サブキャリアベースで、パイロットシンボルをサブキャリアに置くステップであって、この置換によりパイロットシンボルの間隔が、すべてのＦＤＭシンボルに対する周波数で等距離間隔となる。【選択図】図５
2007159124.tif 000002
【特許請求の範囲】
【請求項１】
マルチキャリア周波数分割多重化（ＦＤＭ）信号のデジタル生成方法であって、信号は、パイロットシンボルを有するＦＤＭシンボルを含み、少なくとも１つのＦＤＭシンボルが周波数で等距離間隔になっていないパイロットシンボルを有する、方法。
【請求項２】
すべてのＦＤＭシンボルが、それらパイロットシンボルが等距離間隔になっていないことを示す、請求項１に記載の方法。
【請求項３】
すべてのＦＤＭシンボルが、それらパイロットシンボルが同様の等距離間隔になっていないことを示す、請求項１または２に記載の方法。
【請求項４】
信号がＯＦＤＭ信号である、請求項１から３のいずれかに記載の方法。
【請求項５】
マルチキャリア信号を変調するステップと、
マルチキャリア信号をアナログ信号に変換するステップと
アナログ信号を伝送するステップと
をさらに含む、請求項１から４のいずれかに記載の方法。
【請求項６】
マルチキャリア周波数分割多重化（ＦＤＭ）信号を処理する方法であって、
方法は、
ａ）デジタルマルチキャリアＦＤＭ信号を復調するステップであって、前記信号が、パイロットシンボルを有するＦＤＭシンボルを含み、少なくとも１つのＦＤＭシンボルのパイロットシンボルが周波数で等距離間隔になっていないステップと、
ｂ）サブキャリアベースで、少なくとも１つのパイロットシンボルを少なくとも１つのサブキャリアに置くステップであって、この配置により、すべてのＦＤＭシンボルに対して周波数で等距離間隔になったパイロットシンボルの間隔がもたらされるステップと
を含む、方法。
【請求項７】
信号がＯＦＤＭ信号である、請求項６に記載の方法。
【請求項８】
データシンボルの置換が、パイロットシンボルをデータシンボルにコピーすることにより行われる、請求項６または７に記載の方法。
【請求項９】
データシンボルの置換が補間により行われる、請求項６から８のいずれかに記載の方法。
【請求項１０】
パイロットシンボルを補間によりＤＣサブキャリアに提供するステップをさらに含む、請求項６から９のいずれかに記載の方法。
【請求項１１】
サブキャリアのチャネル推定および復調を実行するステップをさらに含む、請求項６から１０のいずれかに記載の方法。
【請求項１２】
マルチキャリア周波数分割多重化（ＦＤＭ）信号、特にＯＦＤＭ信号であって、信号はパイロットシンボルを有するＦＤＭシンボルを含み、少なくとも１つのＦＤＭシンボルは周波数で等距離間隔になっていないパイロットシンボルを有するＦＤＭ信号である、マルチキャリア周波数分割多重化（ＦＤＭ）信号。
【請求項１３】
データ処理システムで実行されるデータ処理プログラムにおいて、
コンピュータで実行された場合に、請求項１から１１のいずれかに記載の方法を実行するソフトウェアコード部分を含むデータ処理プログラム。
【請求項１４】
コンピュータ使用可能媒体上に記憶されたコンピュータプログラム製品において、前記コンピュータで実行された場合に、請求項１から１１のいずれかに記載の方法をコンピュータに実行させるためのコンピュータ可読プログラム手段を含むコンピュータプログラム製品。
【発明の詳細な説明】
【技術分野】
【０００１】
本発明は、マルチキャリア信号を生成し、処理する方法に関する。
【背景技術】
【０００２】
マルチキャリア伝送を使用した遠隔通信システムはよく知られている。これらは、情報を伝送するために、サブキャリアとも呼ばれる多数の電磁気搬送波を使用する。その例として、デジタル音声ブロードキャスティング標準（ＤＡＢ）に従い動作する、デジタル加入者回線（ＤＳＬ）モデムまたはシステムがある。これらの例には、直交周波数分割多重化（ＯＦＤＭ）に基づく伝送がある。
【発明の開示】
【発明が解決しようとする課題】
【０００３】
最近、携帯移動無線通信のためにマルチキャリア遠隔通信システムを使用することについて議論されている。すべての携帯遠隔通信システムで、これはインターフェースの問題に焦点を当てている。携帯システムでは周波数またはコードなどの資源が遠隔で再利用されるので、インターフェースにより信号の受信が歪む場合がある。
【課題を解決するための手段】
【０００４】
この関連技術を考慮に入れると、本発明の実施形態の目的は、マルチキャリア信号を生成し、処理する方法を提供することであり、それにより、これらの信号は、携帯遠隔通信システムで遠隔に再利用できる自由度を有する。
【０００５】
この目的は、独立請求項の特徴によって解決される。請求された発明のさらなる実施形態が、従属請求項の特徴により記述される。
【０００６】
本発明の第１の態様は、デジタルマルチキャリア周波数分割多重化（ＦＤＭ）信号を生成する方法に関する。これらの信号はパイロットシンボルを有するＦＤＭシンボルを含む。少なくとも１つのＦＤＭシンボルが周波数で等距離間隔になっていないパイロットシンボルを有する。
【０００７】
この記述において、サブキャリアは、ある周波数帯内に周波数を有する電磁波であると理解される。各サブキャリアは、シンボルと呼ばれる単位でユーザに情報を伝送するために使用される。サブキャリアは、異なる周波数を有しており、遠隔通信システムは周波数分割多重化（ＦＤＭ）システム、例えばＯＦＤＭシステムである。ユーザ情報に関するシンボル、例えばテキストデータまたはスピーチデータのようなユーザデータは、データシンボルと呼ばれる。正規の情報伝送のためにシステムが必要とする更なる情報はパイロットシンボルに含まれ、しばしば「パイロット」と略される。パイロットシンボルは、希望の信号のチャネル転送機能を決定するプロセスであるチャネル推定を実行するためにマルチキャリアシステムにより使用される。チャネル転送機能により、伝送された情報を受信信号から導出することができる。
【０００８】
マルチキャリア信号内におけるパイロットシンボルおよびデータシンボルの構成は、時間周波数マップにより支配されているが、ここでは、ＴＦマップと略される。ＴＦマップは、データシンボルおよびパイロットシンボルの位置を時間と周波数で定義する。周波数は、多くの場合に基準または業界標準によって決定されるサブキャリアの周波数である。伝送時間は、ＯＦＤＭの場合ならば２ミリ秒など、長さの固定されたタイムスロットに細分化される。タイムスロットは、ＯＦＤＭの場合はＴＴＩ（伝送時間間隔）とも呼ばれ、データシンボル並びにパイロットシンボルを伝送するために使用される。周波数で等距離間隔になっていないということは、関連するＦＤＭシンボル、例えばＯＦＤＭシンボルが２つの（隣接する）パイロットシンボル間にデータシンボルの変数値を有することを意味する。同様に、パイロットシンボルを搬送する２つのサブキャリア間にもサブキャリアの変数値がある。
【０００９】
本発明の上記第１の態様の方法は、選択可能なパイロットパターンを有するマルチキャリア信号を提供する。伝送に実際に選択されたパイロットパターンは、マルチキャリア遠隔通信システムの必要条件に従属する。この方法は、システムなどの異なるセルに対して異なるパイロットパターンを提供することを可能にすることができる。このパイロットパターンは、遠隔で携帯遠隔通信システムが再利用することのできる自由度を表している。一般的規則として、携帯遠隔通信システムの２つのセルは、互いに遠隔すぎる場合には同じパイロットパターンを使用することができるが、それら２つのセルから発信された信号はわずかな干渉しか示さない。この自由度は、それらパイロットパターンを用いて信号を区別するために使用することができる。
【００１０】
別の実施形態は、すべてのＦＤＭシンボルは、それらのパイロットシンボルが等距離間隔になっていないことを示すことを示唆する。また、すべてのＦＤＭシンボルは、同様にそれらのパイロットシンボルが等距離間隔になっていないことを示すことができる。
【００１１】
望ましくは、ＦＤＭシステムは、信号がＯＦＤＭ信号であるような、ＯＦＤＭシステムであってよい。これにより、携帯移動無線通信にＯＦＤＭを使用することが容易になる。
【００１２】
生成されたマルチキャリア信号は、デジタル信号である。エアインターフェースを介して伝送するために、当該信号は変調され、またアナログ信号に変換される。アナログ信号は次いで、空中をアンテナにより伝送される。
【００１３】
本発明の別の態様は、マルチキャリア周波数分割多重化（ＦＤＭ）信号を処理する方法に関する。第１ステップで、デジタルマルチキャリアＦＤＭ信号が復調される。上記信号は、パイロットシンボルを有するＦＤＭシンボルから構成されて、少なくとも１つのＦＤＭシンボルのパイロットシンボルは、周波数で等距離間隔になっていない。処理される信号は、したがって、パイロットシンボルの第１のパターンを有する。第２ステップで、少なくとも１つのデータシンボルが、サブキャリアベースでパイロットシンボルと置換される。その置換により、パイロットシンボルの間隔は、すべてのＦＤＭシンボルに対して周波数で等距離間隔になったものになる。
【００１４】
この置換は、信号を受信するデバイスのレシーバ部分で行われる。このデバイスは、基地局、アクセスポイント、端末装置、例えば移動電話、ラップトップ、ノートブック、情報移動端末（ＰＤＡ）などの移動端末装置、または、アンテナと電子論理とを有し、またそのようなマルチキャリア信号、例えばＯＦＤＭ信号を処理することのできるいかなる他の適切な電子デバイスであってもよい。この信号が既にデバイスに存在するので、この置換は、情報、すなわち置換されたデータシンボルが消失することを意味するものではない。このデータシンボルは、一般にデータ再構築のためにデバイスのどこかに、例えばＲＡＭ（ランダムアクセスメモリ）にでも記憶される。
【００１５】
この置換により、マルチキャリア信号は第２のパイロットパターンを有することになる。第２のパイロットパターンは、信号のさらなる処理を、特にチャネル推定およびデータ復調を実行するために使用されるハードウェアのコンピュータソフトウェアに適したものとして選択できる。例えば、第２のパイロットパターンにより、マルチキャリア信号のチャネルインパルス応答を導出するために、ＦＦＴ（高速フーリエ変換）チャネル推定を使用することができる。第１のパイロットパターンを有する信号の、すなわちＦＤＭシンボル内のパイロットシンボルの様々な間隔を隔てた信号の、直接チャネル推定をＦＦＴチャネルエスティメータによって行うことはできない。これは、このタイプのチャネルエスティメータが、パイロットパターンに厳格な必要条件を課すからである。特に、ＦＦＴチャネルエスティメータは、サブキャリア上のパイロットシンボル間に固定の距離を要求する。
【００１６】
別の実施形態では、上記のように処理されるマルチキャリア信号はＯＦＤＭ信号である。上記の実施形態は、異なるパイロットパターンを有するＯＦＤＭ信号の受信を容易にし、したがってパイロットパターンは信号源の基点を識別し、それらのパイロットパターンを用いてそれらの信号を区別するために選択することができる。一例として、携帯遠隔通信システムは、それらのセルに個々のパイロットパターンを有することができ、それによりパイロットパターンを遠隔で再利用することができることになる。「再利用」は、２つのセルＡとＢが十分に相互から離れている場合は、遠隔通信システム、例えば無線移動システムのオペレータは、同じパイロットパターンを２つのセルＡとＢに考えることができる。これは、一般に、デバイス、例えば移動電話が同じ位置でセルＢからだけでなくセルＡからも信号を受信する見込みのない場合である。
【００１７】
上記置換は、少なくとも２つの方法で実行することができる。１つは、パイロットシンボルをデータシンボルにコピーすることである。もう１つは、１つの補間、例えば線形補間を実行することである。
【００１８】
更なる実施形態では、本方法は、補間、例えば線形補間によりパイロットシンボルを有するＤＣサブキャリアを提供するステップを含む。ＤＣサブキャリアは、定義としては、情報またはパイロットシンボルを伝送するために利用可能ではないが、受信したマルチキャリアＦＤＭ信号、例えばＯＦＤＭ信号を処理する際に使用することができる。補間は、ＯＦＤＭシンボルで新しいパイロットシンボルを生成するために、同一または隣接するＦＤＭシンボルの２つのパイロットシンボルを使用することができる。この補間は、これら２つのパイロットシンボルの周波数がＤＣサブキャリアの周波数に近い場合は、より正確になる。
【００１９】
ＤＣサブキャリアでパイロットシンボルを生成することにより、使用可能なパイロットシンボルの数は増え、チャネル推定の正確さは高まる。このパイロットシンボルの生成は、マルチキャリア信号を受信する、対応するデバイスのレシーバ部分に対して内部的に実行される。したがって、これらの追加パイロットシンボルは、実際の（すなわち、実際に伝送された）パイロットシンボルとは対照的に、仮想パイロットシンボルに関するものであってよい。
【００２０】
別の実施形態では、この方法は、チャネル推定とサブキャリアの復調とを実行するステップを含む。このチャネル推定は、ＦＦＴチャネル推定であってよく、サブキャリアの復調はＱＡＭまたはＱＰＳＫ復調であってよい。
【００２１】
本発明の別の態様は、マルチキャリアＦＤＭ信号を生成する方法で作成された信号に関する。したがってこの態様は、マルチキャリアＦＤＭ信号、特にＯＦＤＭ信号に関し、この信号は、パイロットシンボルを有するＦＤＭシンボルを含み、少なくとも１つのＦＤＭシンボルは、周波数で等距離間隔になっていないパイロットシンボルを有する。
【００２２】
本発明は、ハードウェア、ソフトウェア、またはハードウェアとソフトウェアの組合せにより実現することができる。いかなる種類のコンピュータシステム、または本明細書で説明した方法を実行するように構成された他の装置でも適している。典型的なハードウェアとソフトウェアの組合せは、ロードされて実行された場合に、本明細書で説明した方法を実行するＤＳＰを制御する、コンピュータプログラムを有するデジタル信号処理プロセッサ（ＤＳＰ）であってよい。本発明は、本明細書で説明した方法の実施を可能にするすべての特徴を含み、コンピュータシステムにロードされた場合にこれらの方法を実行することのできる、コンピュータプログラム製品に埋め込むこともできる。
【００２３】
この文脈においてコンピュータプログラム手段またはコンピュータプログラムは、情報処理機能を有するシステムに、特別な機能を直接的に、または、ａ）別の言語、コードまたは表記法への変換、ｂ）異なる素材形式での再生産のどちらか、または両方の後で、実行させることを目的とした一組の命令のいかなる言語、コードまたは表記法によるいかなる表現をも意味するものである。
【００２４】
請求された発明のこれらおよび他の態様は、下記の実施形態を参照することによって明らかになり、解明されよう。参照記号の使用は、本発明の範囲を限定するものと理解されるべきでないことに留意されたい。
【発明を実施するための最良の形態】
【００２５】
図１は、送信機によりＯＦＤＭ信号の伝送のために異なるパイロットパターンで簡略化されたＴＦマップ１ａ）．．．１ｅ）を示す。各ＴＦマップでは、横軸に沿って時間がＴＴＩ単位でプロットされ、サブキャリア周波数を表すサブキャリアインデックスは縦軸に沿ってプロットされる。簡略化のために、横軸は４つのＴＴＩのみに細分化され、縦軸は２３の周波数インデックスのみに細分化される。したがって、各ＴＦマップは４つのＯＦＤＭシンボルしか含まない。当業者には、ＯＦＤＭ  ＴＦマップがより多くのサブキャリアを含むので、このＴＦマップは簡略化されたＴＦマップであることが容易に理解されよう。この簡略化は、実施形態をより容易に理解するために選択されたものである。
【００２６】
図１ａ）は、ＯＦＤＭレシーバ内のＦＦＴチャネル推定に適したパイロットパターンを有するＴＦマップである。各ＯＦＤＭシンボルは、「Ｐ」で示す６つのパイロットシンボルを含む。このＴＦマップのすべての他のボックスは、データシンボルで満たされている。各ＯＦＤＭシンボルのこのパイロットシンボルは、周波数で等距離間隔になっている。これに応じて、２つの隣接するパイロットシンボル間には同数のデータシンボルが常にある。図１ａ）の場合、２つのパイロットシンボル間には常に３つのデータシンボル（ブランクボックス）がある。これは、上記の簡略化の理由からＴＦマップ底部で末尾が切り捨てられているので、第２および第４のＯＦＤＭシンボル底部の場合でもある。
【００２７】
図１ｂ）．．．１ｅ）は、パイロットシンボルが周波数で等距離間隔になっていないパイロットパターンを有するＴＦマップである。これらは、存在する多くの変数のうちの数例を示すにすぎない。当業者には、周波数で等距離間隔になっていないパイロットシンボルを有する、多くの他の実現可能なパイロットパターンがあることが容易に理解されよう。
【００２８】
図１ｂ）では、第１のＯＦＤＭシンボルは６つのパイロットシンボルを含むが、２つのパイロットシンボルの間には１つまたは５つのデータシンボルがある。他の３つのＯＦＤＭシンボルについても同様のことが言える。
【００２９】
図１ｃ）は、第２および第４のＯＦＤＭシンボルのパイロットシンボルで等距離間隔になっているが、第１および第３のＯＦＤＭ信号にはパイロットシンボルがない。
【００３０】
図１ｄ）は、ＯＦＤＭシンボルごとに、２つの（隣接する）パイロットシンボル間に１つ、３つまたは５つのデータシンボルを有する６つのパイロットシンボルを有する。各ＯＦＤＭシンボルは、同じパターンのパイロットシンボルを有するが、周波数オフセットを有している。
【００３１】
図１ｅ）は、ＯＦＤＭシンボルに関連付けられた２つのパイロットシンボル間に１つ、３つまたは５つのデータシンボルを有する。ここでもまた、各ＯＦＤＭシンボルは、同じパターンのパイロットシンボルを有するが、周波数オフセットを有している。下の部分で、図１ｅ）のＴＦマップは、図１ｄ）のＴＦマップと同一だが、上の部分ではそれらは異なる。
【００３２】
送信機、例えば携帯電話などの端末装置は、ＦＤＭ信号、例えばＯＦＤＭ信号を、図１ｂ）、１ｃ）、１ｄ）または１ｅ）またはパイロットシンボル「Ｐ」が少なくとも１つのＦＤＭシンボルに対して周波数で等距離間隔になっていない、いかなる他のパイロットパターンによるパイロットパターンでも伝送する。実際には、個々のサブキャリアが最初に変調される。このステップは、単一搬送波変調と呼ばれる。エンコーダーは、データシンボル、例えばＱＡＭ変調が選択された場合はＱＡＭシンボルを、またはＱＰＳＫ変調が選択された場合はＱＰＳＫ変調を生成する。ＦＤＭシンボルは、ＴＦマップ、例えば図１ｂ）から図１ｅ）のいずれかのＴＦマップによるＴＦマップに基づいて生成され、それによりパイロットシンボルが挿入される。最後に、ＦＤＭシンボルを含む信号が変調される。この最終ステップはマルチキャリア変調と呼ばれる。
【００３３】
この結果がデジタルマルチキャリア信号である。トランスミッタは、このデジタルマルチキャリア信号をデジタル／アナログコンバータによりアナログ信号に変換し、アナログ信号を空中で伝送するためにそのアンテナを使用する。電子レシーバを有する別のデバイスは、アンテナを用いて信号を受信し、アナログ／デジタルコンバータによりそのアナログ信号をデジタル信号に変換する。受信したデジタルマルチキャリア信号は、第１のパイロットパターンを有する。第１のパイロットパターンは、少なくとも１つのＦＤＭシンボルでパイロットシンボルの等距離間隔になっていないことで特徴付けられる。このパイロットパターンは、図１ｂ）．．．図１ｅ）によるパイロットパターンであってよい。
【００３４】
レシーバは、第１のパイロットパターンを有する信号を処理する。この処理は、少なくとも１つのデータシンボルをサブキャリアベースでパイロットシンボルに置換することを含む。この方法では、この置換により、すべてのＦＤＭシンボルに対して周波数で等距離間隔になっているパイロットシンボルの空間による、第２のパイロットパターンが得られる。この第２のパイロットパターンは、図１ａ）に示すパイロットパターンであってよい。
【００３５】
第２のパイロットパターンを有するマルチキャリア信号は、ＦＦＴチャネルエスティメータによるチャネル推定を実行するため、またその信号がもたらした情報を導出するよう単一搬送波復調を実行するために使用することができる。
【００３６】
実際には、レシーバは、携帯遠隔通信システム内で異なる信号源の信号を受信する。各セルは、個々のパイロットパターンに関連付けることができる。上記の実施形態によれば、当該個々のパイロットパターンは、ＦＤＭシンボルのパイロットシンボルで等距離間隔になった第２のパイロットパターンに転送される。上記方法は、その目的のために使用することのできる多数のパイロットパターンを提供する。
【００３７】
図２ａ）からｃ）は、上記実施形態がパイロットパターンを、仮想の、すなわち伝送されないＤＣサブキャリア上のパイロットシンボルを有するパイロットパターンで使用できることを示す。図２ａ）では、周波数で等距離間隔になったＤＣサブキャリア周辺にパイロットシンボルがある。
【００３８】
図２ｂ）は、図２ａ）と同じパイロットシンボルパターンを示すが、１つのサブキャリアによって上にずれされる。パイロットシンボル間の等距離間隔を維持するためには、パイロットを「（Ｐ）」で示されるＤＣサブキャリア上に置く必要がある。しかし、ＤＣサブキャリアは伝送用に使用されるものではないので、パイロットシンボル「（Ｐ）」を伝送することはできない。その代わり、ＤＣサブキャリア上のパイロットシンボルは、補間、例えば線形補間により、ＤＣサブキャリア上下にある追加のパイロットシンボルから導出される。これを行う方法を図２ｃ）に示す。図２ｃ）では、ＤＣサブキャリア上で１つのパイロットシンボルを補間するために２つのパイロットシンボルが使用される。図示のＴＦマップは一例であり、明確化のためにＴＦマップを簡略化したものである。
【００３９】
図３ａ）および３ｂ）は、レシーバにおけるマルチキャリアＦＤＭ信号の処理を、より詳細に説明する。図３ａ）は、第１および第３のＯＦＤＭシンボルのパイロットシンボルを第２のＯＦＤＭシンボルにコピーすることを示す。この結果は、周波数で等距離間隔になったパイロットシンボルの間隔を有する第２のＯＦＤＭシンボルである。
【００４０】
図３ｂ）は、第２のＯＦＤＭシンボルに補間による新しいパイロットシンボルの作成を示す。この補間は、サブキャリアベース上で行われる。すなわち、補間に使用される２つのパイロットシンボルが、新しいパイロットシンボルと同じサブキャリアに属するということである。
【００４１】
図４は、上記実施形態による信号伝送を説明するフローチャートを示す。ステップ２で、変調、例えば、そのＦＤＭ信号、例えばＯＦＤＭ信号が構成されている個々のサブキャリアのＱＡＭまたはＱＰＳＫ変調が実行される。ステップ４で、データシンボルが生成される。ステップ６で、データシンボルとパイロットシンボルがＴＦマップに挿入される。ＴＦマップは、図１ｂ）から１ｅ）によるＴＦマップであってよく、したがってこれらはＦＤＭシンボル内のパイロットシンボルにおいて（周波数で）等距離間隔になっていないことを示している。この結果は、多数のＦＤＭシンボルとなる。ステップ８で、ＦＤＭシンボルが変調される。ステップ１０で、デジタル変調されたマルチキャリア信号が、デジタル／アナログ（Ｄ／Ａ）コンバータによりアナログ信号に変換される。ステップ１２で、アナログ信号は、携帯遠隔通信ネットワークで空中を伝送される。
【００４２】
図４のフローチャートのステップは、送信機で実行される。レシーバは、これらの信号を受信して処理する。これは、図５のフローチャートで説明される。
【００４３】
ステップ２０で、当該アナログ信号がアンテナで受信される。ステップ２２で、このアナログ信号はアナログ／デジタル（Ａ／Ｄ）コンバータによりデジタル信号に変換される。ステップ２４で、マルチキャリア信号が復調され、これによりマルチキャリア信号は、図１ｂ）から１ｅ）のようにＦＤＭシンボル内のパイロットシンボルの（周波数で）等距離間隔になっていないＴＦマップに基づいたものになる。ステップ２６で、パイロットパターンは、第２のパイロットパターンに変形される。これらの第２のパイロットパターンは、図１ａ）の場合のように、ＦＤＭシンボル内のパイロットシンボルが（周波数で）等距離間隔になったものとなる。ステップ２８で、ＦＦＴチャネル推定が実行される。ステップ３０で、ステップ２８で得られたチャネル推定により単一搬送波復調が実行される。
【００４４】
図６は、上記で説明した方法を実行するための装置を示す。基地局１はケーブル３によりアンテナ２に接続される。基地局１は、ＯＦＴＭ信号４を、アンテナ６を有する端末装置５と交換する。基地局は、多数の携帯遠隔通信ネットワーク（図示せず）のユーザにサービスを提供する。
【００４５】
基地局１は、ＯＦＤＭ信号４用のデジタル生成装置７を有する。デジタル生成装置７は、電子回路８とランダムアクセスメモリ（ＲＡＭ）９を含む。電子回路８は、ＤＳＰ、ＦＰＧＡまたは、コンピュータプログラムを実行するためにＲＡＭ９を使用するいかなるタイプのマイクロプロセッサであってもよい。Ｄ／Ａコンバータ１０は、アンテナ２を用いて空中で伝送することのできるアナログ信号を生成するために使用される。
【００４６】
端末装置５は、そのアンテナ６を用いて伝送されたＯＦＤＭ信号４を受信する。端末装置５は、マルチキャリア復調器１２と信号修正ユニット１３とを含むデジタルレシーバ１１を有する。デジタルレシーバ１１は、アンテナ６によって検出されたアナログＯＦＤＭ信号４を変換するＡ／Ｄコンバータ１４からデジタル信号を得る。下記でより詳細に説明するように、マルチキャリア復調器１２は、少なくとも１つのＯＦＤＭシンボルのパイロットシンボルの等距離間隔になっていない信号を復調する。第１のパイロットパターンを有するＯＦＤＭ信号は、信号修正ユニット１３により修正される。信号修正ユニット１３は、パイロットパターンを修正し、すべてのＯＦＤＭシンボルのパイロットシンボルの等距離間隔になっているＯＦＤＭ信号を生成する。
【００４７】
実際に、無線携帯遠隔通信ネットワークの基地局１は、デジタル生成装置７によりＯＦＤＭ信号４を生成するように構成することができるばかりでなく、デジタルレシーバ１１によりそのような信号を受信するようにも構成することができる。これは、端末装置５に必要な変更を加えて適用することができ、図６は基地局１から端末装置５への信号の流れを示すにすぎない簡略図である。
【図面の簡単な説明】
【００４８】
【図１】送信機によるＯＦＤＭ信号伝送用の異なるパイロットパターンによる簡略化されたＴＦマップの一例を示す図である。
【図２】ＯＦＤＭ信号のレシーバ内の、ＤＣサブキャリア上の仮想パイロットシンボルの作成を示す図である。
【図３】ＯＦＤＭレシーバ内の新しいパイロットパターンの作成を示す図である。
【図４】信号の伝送を示すフローチャートである。
【図５】信号の受信を示すフローチャートである。
【図６】携帯遠隔通信システムの基地局と端末装置を示す図である。
【符号の説明】
【００４９】
１  基地局
２、６  アンテナ
３  ケーブル
４  ＯＦＤＭ信号
５  端末装置
７  デジタル生成装置
８  電子回路
９  ＲＡＭ
１０  Ｄ／Ａコンバータ
１１  デジタルレシーバ
１２  復調器
１３  信号修正ユニット
１４  Ａ／Ｄコンバータ
【図１】
2007159124.tif 000003
【図２】
2007159124.tif 000004
【図３】
2007159124.tif 000005
【図４】
2007159124.tif 000006
【図５】
2007159124.tif 000007
【図６】
2007159124.tif 000008
【外国語明細書】
2007159124.tif 000009
2007159124.tif 000010
2007159124.tif 000011
2007159124.tif 000012
2007159124.tif 000013
2007159124.tif 000014
2007159124.tif 000015
2007159124.tif 000016
2007159124.tif 000017
2007159124.tif 000018
2007159124.tif 000019
2007159124.tif 000020
2007159124.tif 000021
2007159124.tif 000022
2007159124.tif 000023
2007159124.tif 000024
2007159124.tif 000025
2007159124.tif 000026
2007159124.tif 000027
2007159124.tif 000028
2007159124.tif 000029
2007159124.tif 000030